(57)【要約】【課題】後方に倒したハンドルを支持する支持片を本体の後面に設けた炊飯器において、部品の増加を伴うことなく露受けケースを前記本体後面部に設けた収納部に出し入れ自在に収納できるようにすることである。【解決手段】ハンドル４の支持片７の下面と露受けケース５との対向面間に相互にクリック感をもって係脱する凸部１８と凹部１９を設け、その凸部１８と凹部１９の係合により露受けケース５を収納部８に保持するようにした。【選択図】  図２
2004230010.tif 000002
【特許請求の範囲】
【請求項１】
炊飯器の本体、その本体のヒンジ部に開閉自在に取付けられた蓋、前記本体の左右両側面に揺動自在に取付けられたハンドル、前記本体の後面に着脱自在に取付けられた露受けケースとからなり、後方に倒された前記ハンドルを支持する支持片を本体後面に突設し、前記本体の上面に前記ヒンジ部を含む露集合溝を設けるとともに、そのヒンジ部において該露集合溝底部に排水穴を設け、その排水穴の下方に本体の後方に向け、かつ前記支持片の下部において開放された収納部を設け、該収納部に前記露受けケースを収納してなる炊飯器の露受け構造において、前記支持片の下面と露受けケースとの対向面間に相互にクリック感をもって係脱する凹凸係合部を設けたことを特徴とする炊飯器の露受け構造。
【請求項２】
前記凹凸係合部がベンディングにより相互に係脱することを特徴とする請求項１に記載の炊飯器の露受け構造。
【請求項３】
前記露受けケースは、前記本体の後面と同一面となる後端面を有するとともに、その後端面に前記支持片の幅内で後方に突き出したケース補助部を設け、そのケース補助部の一部を該露受けケースの把持部となすとともに、該ケース補助部とこれに対向した支持片に前記の凹凸係合部を設けたことを特徴とする請求項１又は２に記載の炊飯器の露受け構造。
【請求項４】
前記本体のヒンジ部が左右一対のヒンジ支持部からなり、前記収納部の開口幅が左右のヒンジ支持部の内側にあるように形成したことを特徴とする１から３のいずれかに記載の炊飯器の露受け構造。
【請求項５】
前記露集合溝に設けた排水穴の範囲内に前記露受けケースの開口が含まれる大きさ関係に形成されたことを特徴とする請求項１から４のいずれかに記載の炊飯器の露受け構造。
【発明の詳細な説明】
【０００１】
【発明の属する技術分野】
この発明は、炊飯器（炊飯ジャーを含む。）の露受け構造に関するものである。
【０００２】
【従来の技術】
炊飯器による炊飯終了後において蓋を開放すると蓋の内面に付着した結露が蓋内面を流れ落ち、炊飯器の本体後部のヒンジ部分に溜まることがある。この露が外部にこぼれ落ちることを防止するために、炊飯器に露受け構造を設けることは従来周知である。近年は、このような結露を発生させないようにするため、蓋ヒーターを設けることが一般に行われているが、蓋ヒーターを設けることによる製品コストの上昇を避けるため、少容量低価格の炊飯器においては、蓋ヒーターを設けることなく前記の露受け構造のみを設けた構造が採用される。従来から知られている露受け構造の一例を示せば、特許文献１から３の通りである。
【０００３】
一方、炊飯器を可搬型とするために、逆Ｕの字形のハンドルを炊飯器の本体の左右両側面に揺動自在に取付け、通常は本体の後部側に倒しておき、必要に応じてこれを立ち上げて持ち運ぶようにしたものが従来から知られている（特許文献４参照）。
【０００４】
なお、上記特許文献４に示され可搬形の炊飯器は、露受け構造は備えていない。また、後方に倒したハンドルを支持する構造は、炊飯器の本体の外側面に段部を設け、その段部にハンドルを載せる構造が採られており、ハンドルの支持片を本体の後面に突設した構成にはなっていない
【０００５】
【特許文献１】
特公平５−３０４５４号公報（実施例、第１図、第２図）
【特許文献２】
実公平６−３２０２２号公報（実施例、第１図）
【特許文献３】
実願昭５９−１２７８０７号（実開昭６１−４１６１１号）のマイクロフィルム（実施例、第３図）
【特許文献４】
特開２０００−７０１２７号公報（段落００１７、図１）
【０００６】
【発明が解決しようとする課題】
前記特許文献１〜３における露受け構造において、露受けケースを本体に係合する構造について見ると、特許文献１の場合は、露受け収納部に板バネを装着し、露受けケースの側面に押し当てることにより、他側面の一部を本体側に係合するようにしているが、この構成によると板バネが必要となり、部品増加の一因となる問題がある。
【０００７】
特許文献２の場合は、露受けケースを本体の斜め後方から収納部に差し込む構成であるので、収納部上部にハンドル支持片のような突出部がある場合は採用することができない。
【０００８】
特許文献３の第３図の場合は、露受けケースの上端の左右側片に設けた凸部と、その上方にネジ止めされたカバーに設けた凹部とをベンディングにより着脱自在に係合させるようになっているが、ベンディングする凹部を設けるために、独立した部品であるカバーが必要となる問題がある。また、同文献の第４図に示されたものは、本体側の水平のガイドリブに対し、露受けケースの溝を嵌合させるようになっているが、前後方向にスライドする構造であるので、勝手に抜け出す問題がある。
【０００９】
そこで、この発明は、ハンドルを備えた炊飯器において、部品の増加がなく、かつ簡便に係止できるようにした露受け構造を提供することを課題とする。
【００１０】
【課題を解決するための手段】
前記の課題を解決するために、この発明は、炊飯器の本体、その本体のヒンジ部に開閉自在に取付けられた蓋、前記本体の左右両側面に揺動自在に取付けられたハンドル、前記本体の後面に着脱自在に取付けられた露受けケースとからなり、後方に倒された前記ハンドルを支持する支持片を本体後面に突設し、前記本体の上面に前記ヒンジ部を含む露集合溝を設けるとともに、そのヒンジ部において該露集合溝底部に排水穴を設け、その排水穴の下方に本体の後方に向け、かつ前記支持片の下部において開放された収納部を設け、該収納部に前記露受けケースを収納してなる炊飯器の露受け構造において、前記支持片の下面と露受けケースとの対向面間に相互にクリック感をもって係脱する凹凸係合部を設けた構成を採用した。
【００１１】
上記の構成によると、炊飯終了後において蓋を開けると、その内面に付着した結露が本体の露集合溝に流れ落ち、排水穴から露受けケース内に落下する。露受けケースを外す際は、これを後方に引き出すべく若干の力を加えると、凹凸係合部がはずれ、本体の収納部から後方に引き抜かれる。露受けケースを装着する際は、逆に本体の後方から収納部に差し込んで若干の力を加えると、凹凸係合部がクリック感をもって係合して収納部内に保持される。
【００１２】
前記凹凸係合部はベンディングにより相互に係脱する構成を採用することができる。ベンディングする寸法だけ設計に余裕ができるメリットがある。
【００１３】
また、前記露受けケースは、前記本体の後面と同一面となる後端面を有すとともに、その後端面に前記支持片の幅内で後方に突き出したケース補助部を設け、そのケース補助部の一部を該露受けケースの把持部となすとともに、該ケース補助部とこれに対向した支持片に前記の凹凸係合部を設けた構成を採用してもよい。
【００１４】
更に、前記本体に設けたヒンジ部が左右一対のヒンジ支持部からなり、前記露受けケースの開口幅が左右のヒンジ支持部の内側にあるように形成した構成を採用することができる。また、前記露集合溝に設けた排水穴の範囲内に前記露受けケースの開口が含まれる大きさ関係に形成された構成を採用してもよい。
【００１５】
【発明の実施の形態】
以下、添付図面に基づいてこの発明の実施の形態を説明する。図１は炊飯器の斜め後方から見た斜視図である。この図から分かるように、炊飯器は本体１、その後端部のヒンジ部２に開閉自在に取付けられた蓋３、本体１の左右両側面に揺動自在に取付けられた逆Ｕの字形のハンドル４及び本体１の後面に着脱自在に取付けた露受けケース５とから成る。ハンドル４は、本体１の上縁６に接近して取付けられ、後方に倒した状態でハンドル４の一方の側縁が本体１の上縁６とほぼ一致する（図３及び図４（ｂ）参照）。また、本体１の後面においてヒンジ部２の下方に、後方に倒したハンドル４を水平に支持するための支持片７が一体成形により後方に突き出して設けられる。支持片７は、平面形状がほぼ半楕円形の板状に形成される（図４（ａ）参照）。前記の支持片７の下方において、本体１の後面に後方に開放された四角形の凹部からなる収納部８が設けられ、前記の露受けケース５がその後方から着脱自在に収納される。
【００１６】
図３に示すように、本体１の上面においてヒンジ部２の近辺、即ち、炊飯釜１０の後方に露集合溝９が形成される。露集合溝９はヒンジ部２に近づくに従って下降するように緩い勾配がつけられ、そのヒンジ部２において露集合溝９の底部に排水穴１１が設けられる。
【００１７】
ヒンジ部２は、図４（ａ）に示すように、横断面形状が前方に開放されたコの字形に形成され、その左右両側部にヒンジ支持部２ａ、２ａを有し、そのヒンジ支持部２ａ，２ａ間に挿通したヒンジ軸１２により蓋３が開閉自在に取付けられる。前記の排水穴１１はコの字形のヒンジ部２に囲まれた長方形をなし、その長方形の横断面形状をもった縦方向の通路１３が本体１の内部に設けられ（図４（ｂ）参照）、その下端が前記の収納部８の上面に開放されている。通路１３と収納部８との境界部分の内側面に前後方向のガイドリブ１４が設けられ、露受けケース５の上端面を規制する。また、収納部８の底面には前後方向の２本のガイドリブ１５、１５が設けられ、露受けケース５の差し込み時又は引き抜き時の摩擦抵抗を軽減している。なお、前記の排水穴１１を複数の穴により形成してもよい。その場合の通路１３はこれらの穴に共通して１つだけ設けられる。単独又は複数の穴のいずれの場合も、その開口の範囲内に露受けケース５の開口が含まれるようにこれらの大きさ関係が設定される。
【００１８】
前記の露受けケース５の後端面に後方に突き出したケース補助部１６が設けられる（図２参照）。このケース補助部１６は、露受けケース５の後端縁の中央部から後方に突き出したコの字形の上端縁１７を有し、その深さは露受けケース５の深さのほぼ半分であり、上方と内方に開放される。露受けケース５を収納部８に収納した状態で、その後端面は本体１の後端面と同一面となるように収納部８の奥行きと露受けケース５の前後方向の幅が設定されている。ケース補助部１６は本体１の後端面から突き出すが、その突き出し量は、平面的に支持片７の大きさの範囲内に収まるように形成される。本体１の後端面から突き出したケース補助部１６は把持部となり、その両側面を指先でつまむことにより露受けケース５を把持することができる。
【００１９】
前記の支持片７の下面とケース補助部１６の上縁は上下に接近して対向しており、ケース補助部１６の上部両側縁に一対の凸部１８が形成され、また、これに対向した一対の凹部１９が支持片７側に形成される。凹部１９は支持片７の一部を薄肉に形成してなるベンディング部２１と、そのベンディング部２１と本体１の後端面との間に形成された穴２２とにより形成される（図４（ｃ）参照）。露受けケース５を収納部８内に差し込むと、前記の凸部１８がベンディング部２１を押上げて進み、穴２２に対しクリック感をもって係合され、これにより露受けケース５の抜け止めが図られる。前記の凸部１８と凹部１９とにより、凹凸係合部が形成される。
【００２０】
ベンディング部２１は、図６に示すように、ケース補助部１６側に設けてよい。この場合は、凸部１８はそのベンディング部２１の先端部に形成され、支持片７側の凹部１９は穴２２のみにより形成される。
【００２１】
ベンディング部２１があると、凹凸係合部の設計に余裕ができる利点があるが、成形精度が高く管理される場合はベンディング部２１を省略し、凸部１８と穴２２、或いは凸部１８と単なる凹部とにより凹凸係合部を形成するようにしてもよい。
【００２２】
前記の収納部８の開口幅は、図４（ｂ）に示すように、ヒンジ支持部２ａ、２ａの間隔Ｌに等しい幅をもって形成される。また、図５（ａ）に示すように、ヒンジ部２の間隔Ｌを収納部８の開口幅より相対的に大きく形成し、その開口幅が間隔Ｌの範囲内に含まれるように形成する場合もある。これに対し、図５（ｂ）のように、ヒンジ部２の間隔Ｌより収納部８の開口幅が大きい場合は、その収納部８の上部と露集合溝９の底面との間に、金型成形の技術上肉厚部２３（いわゆる、肉溜り）が生じるため、ヒケの発生原因となる不都合がある。従って、収納部８の開口幅はヒンジ部２の間隔Ｌと一致するか又はその間隔内に含まれるように形成することが望ましい。
【００２３】
実施の形態の炊飯器は以上のようなものであり、炊飯完了後に蓋３を開放すると、その内面の結露は露集合溝９に流れ落ち、排水穴１１から通路１３を経て露受けケース５内に落下する。露受けケース５内に溜まった露を排除する場合は、指先でケース補助部１６の両側面をつまんで多少の力を加えると、凸部１８が穴２２から抜け出し、係合が外れて該露受けケース５を抜き出すことができる。空になった露受けケース５を元の状態に戻す際は、これを収納部８に差し込むと、凸部１８がベンディング部２１をベンディングさせて穴２２にクリック感をもって係合し、該露受けケース５の抜け止め状態に保持される。
【００２４】
【発明の効果】
以上のように、この発明は、後方に倒したハンドルを支持する支持片の下面と、露受けケースとの対向面間に相互にクリック感をもって係脱する凹凸係合部を設けた構成により、部品の追加を伴うことなく露受けケースを炊飯器本体に抜け止め状態に収納保持させることができる。また、バネ等の別部品を用いることなく、前記凹凸係合部にベンディグ機能を付加することもできる。
【００２５】
なお、収納部の開口をヒンジ支持部の内側に含ませる（ヒンジ支持部の間隔に一致する場合も含む。）ように設定すると、成形技術上も問題がなく、良好な仕上がりが得られる。
【図面の簡単な説明】
【図１】実施の形態の斜視図
【図２】同上の一部分解斜視図
【図３】同上の蓋開放状態の一部斜視図
【図４】（ａ）同上のヒンジ部分の横断平面図
（ｂ）（ａ）図のｂ−ｂ線の断面図
（ｃ）（ａ）図のｃ−ｃ線の断面図
【図５】（ａ）同上の変形例のヒンジ部分の断面図
（ｂ）同上の他の変形例のヒンジ部分の断面図
【図６】同上の凹凸係合部の変形例の断面図
【符号の説明】
１  本体
２  ヒンジ部
２ａ  ヒンジ支持部
３  蓋
４  ハンドル
５  露受けケース
６  上縁
７  支持片
８  収納部
９  露集合溝
１０  炊飯釜
１１  排水穴
１２  ヒンジ軸
１３  通路
１４  ガイドリブ
１５  ガイドリブ
１６  ケース補助部
１７  上縁
１８  凸部
１９  凹部
２１  ベンディング部
２２  穴
２３  肉厚部
【図１】
2004230010.tif 000003
【図２】
2004230010.tif 000004
【図３】
2004230010.tif 000005
【図４】
2004230010.tif 000006
【図５】
2004230010.tif 000007
【図６】
2004230010.tif 000008